(57)【特許請求の範囲】
【請求項１】
雪止め板又は雪止め装着部の何れかからなる雪止め部の背後に、背面下板を連設すると共に、前記背面下板が、挟圧下部と、挟圧下部が上方に位置する段差を介した瓦下方差込部と、瓦下方差込部の尾端を跳ね上げて引掛部とを備え、前記背面下板と対面する挟圧上部と、前記挟圧上部が下方に位置する段差を介して連続する瓦抑え部とを備えた背面上板を設け、対面させた挟圧下部と挟圧上部を貫通する挟圧ボルトを装着してなることを特徴とする瓦屋根用雪止め金具。
【請求項２】
雪止め部に雪止め板を採用すると共に、当該雪止め板の下面部分を、先方に折曲して当該折曲面を使用対象の瓦形状に対応させてなる請求項１記載の瓦屋根用雪止め金具。
【発明の詳細な説明】
【０００１】
【産業上の利用分野】
本発明は、特に瓦屋根に採用される雪止め金具に関するものである。
【０００２】
【従来技術及び発明が解決しようとする課題】
屋根の雪止め金具は、屋根積雪が滑り落ちないようにするための金具で、基本的には、屋根装着部と雪止め部（雪止め板又は雪止めアングルなどの雪止め部材の装着部）とで構成されており、屋根装着部は取付対象の屋根構造に対応して種々の構造の金具が従来より提案されている。
【０００３】
瓦屋根の場合に、瓦の上面に配置される雪止め部の背面に、屋根装着部が連結されている。そして屋根装着部は、雪止め部が配置される瓦より上方の瓦の下側に差し入れられ、当該設置瓦の上縁を越えて屋根下地板に釘着する金具や、当該設置瓦の上縁端に係止する金具（意匠登録第７５９４３０号公報：実開平３−３１６３４号公報）が知られている。
【０００４】
従前の金具の瓦屋根への装着作業（取付工事）は、前記構造を採用しているために、屋根装着に際しては、当該設置瓦の上方の瓦を剥がした状態で行わなければならない。即ち瓦葺き作業と平行して行うか、瓦葺き作業が終了した後に、当該箇所の瓦を剥がし、金具取付工事を実施し、再度瓦を設置する作業を行う必要がある。
【０００５】
特に瓦葺き作業の途中で金具設置を同時に行うことは煩雑になるので、通常は瓦葺き作業とは別に金具取付工事を行っている。しかし近年瓦の連結を堅牢とするために、瓦葺きを終えたものは、剥離作業が困難である場合が多い。このため連結構造が堅牢な瓦を採用した場合には、雪止め金具の取付工事は屋根葺きと同時に行わなければならなく面倒である。
【０００６】
そこで本発明は、瓦葺きを終えた後に、瓦を外すことなく瓦屋根への取付が可能な新規な瓦屋根用雪止め装置を提案したものである。
【０００７】
【課題を解決する手段】
本発明に係る瓦屋根用雪止め金具は、雪止め板又は雪止め装着部の何れかからなる雪止め部の背後に、背面下板を連設すると共に、前記背面下板が、挟圧下部と、挟圧下部が上方に位置する段差を介した瓦下方差込部と、瓦下方差込部の尾端を跳ね上げて引掛部とを備え、前記背面下板と対面する挟圧上部と、前記挟圧上部が下方に位置する段差を介して連続する瓦抑え部とを備えた背面上板を設け、対面させた挟圧下部と挟圧上部を貫通する挟圧ボルトを装着してなることを特徴とするものである。
【０００８】
而して設置すべき瓦の上方瓦の下方側に、背面下板の引掛部を押し込み、全体を回転させながら前記引掛部を差し込み、差込部全体を瓦の底面に差し入れ、背面上板の瓦抑え部を当該瓦の上面に位置させると共に、挟圧上下部を貫通する挟圧ボルトにナットを螺合して緊締することで、瓦を差込部と抑え部とで挟持することになり、雪止め部を瓦屋根上面に固定でき、雪止め作用を奏することになる。
【０００９】
【実施の形態】
次に本発明の実施の形態について説明する。実施形態に示した瓦屋根用雪止め装置（雪止め金具）は、雪止め板１と、背面下板２と、背面上板３と、挟圧ボルト４及び緊締ナット５で構成される。
【００１０】
雪止め板１は、従前の金具と同様に適宜な山形状の雪止め板部１１と、下方を前方に折曲した設置板部（折曲面）１２とを備えてなり、特に設置板部１２は、中央部分を上方に凹ませて凹部１３とし、更に先端は上方に跳ね上げてなる。
【００１１】
尚瓦は隣接瓦と互いに重なり合って連結され、波形にうねっていたり、隣接箇所が高くなっている場合が多い。前記凹部１３は、雪止め板１が設置される個所が、隣接する瓦Ａ、Ｂの境界部分の場合には、当該重なり箇所の凹凸形状に対応するように形成したものである。
【００１２】
背面下板２は、挟圧下部２１と瓦下方差込部２２とを適宜な段差２３（挟圧下部２１が上方に位置する）を介して連続させたもので、挟圧下部２１の先端は、雪止め板部１１に鋲結その他の手段で連結固定してなり、適宜箇所に挟圧ボルト４をカシメその他の手段で固定して、上方に螺軸を突設してなる。更に瓦下方差込部２２の尾端は、跳ね上げて引掛部２４に形成してなる。
【００１３】
背面上板３は、前記背面下板２の挟圧下部２１と瓦下方差込部２２とに対面する挟圧上部３１と瓦抑え部３２とを備え、挟圧上部３１と瓦抑え部３２とは、適宜な段差３３を介して連続してなる。挟圧上部３１には、前記挟圧ボルト４と対応する位置にボルト孔３４を穿設し、瓦抑え部３２の尾端は僅かに下方に撓曲させて適宜な弾性を確保してなる。尚瓦抑え部３２は、瓦下方差込部２２の長さと対応させずに、適宜な長さを備えさせてなる。
【００１４】
而して図４に例示するように、隣接する瓦Ａ、Ｂの境界部分に雪止め板１を配置する場合には、まず最初に図２に例示するように当該箇所の上方の瓦Ｃの先端下方に、引掛部２４を差し込み、更に差込部２２全体を差し入れ、引掛部２４を瓦Ｃの先端下方突条ａの背後に位置させる。
【００１５】
然る後背面上板３の瓦抑え部３２を当該瓦Ｃの上面に位置させると共に、ボルト孔３４に挟圧ボルト４を貫通し緊締ナット５を螺合して緊締する。挟圧上下部２１，３１の挟圧によって背面上板３の抑え部３２と、背面下板２の差込部２２とで瓦Ｃを挟持することになる。
【００１６】
従って連結固定対象となる瓦Ｃを屋根から剥がすことなく、単に僅かに浮き上がらせることによって、金具全体が瓦Ｃに連結固定されることになり、雪止め板部１１は、隣接する瓦Ａ，Ｂに跨って立設され、相応の雪止め作用を奏することになる。
【００１７】
また瓦には種々の構造のものが存在するが、予め瓦の厚さに対応して段差２３，３３を定めておけば良く、厚い瓦に対しては、固定時に挟圧上下部２１，３１の間隔が空くにすぎなく、金具には汎用性が認められる。しかし外観的にまた経年変化を考慮すると、金具固定時に挟圧上下部２１，３１が当接若しくは近接することが望ましい。このため雪止め板１と連結固定された背面下板２の段差２３は一定にしておき、背面上板３は、段差３３の異なる数種類のものを予め用意しておくと、背面上板３の選択使用で、装着瓦屋根の種別に対応して、所望状態の取り付けが可能となる。
【００１８】
尚前記の実施形態は、雪止め部を雪止め板とした雪止め金具を例示したが、雪止め部を雪止めアングルの装着部や、雪止め板装着部としても良い。
【００１９】
【発明の効果】
以上のように本発明は、雪止め部の背後に背面下板を連設すると共に、前記背面下板が段差を介して挟圧下部と瓦下方差込部とを備え、背面下板と対面して挟圧上部と瓦抑え部とを備えた背面上板を設け、対面させた挟圧下部と挟圧上部を貫通する挟圧ボルトを装着した瓦屋根用雪止め装置で、瓦の先端部分を瓦下方差込部と瓦抑え部とで挟持して瓦屋根に固定するもので、瓦の一部を剥がすことなく取付可能としたものである。
【図面の簡単な説明】
【図１】本発明の実施形態の分解斜視図。
【図２】同装着作業の説明図（装着開始時）。
【図３】同装着作業の説明図（装着終了時）。
【図４】同装着状態の説明図。
【符号の説明】
１      雪止め板
１１    雪止め板部
１２    設置板部（折曲面）
１３    凹部
２      背面下板
２１    挟圧下部
２２    瓦下方差込部
２３    段差
２４    引掛部
３      背面上板
３１    挟圧上部
３２    瓦抑え部
３３    段差
３４    ボルト孔
４      挟圧ボルト
５      緊締ナット
【図１】
0003764660.tif 000002
【図２】
0003764660.tif 000003
【図３】
0003764660.tif 000004
【図４】
0003764660.tif 000005